【手続補正書】
【提出日】平成22年2月8日(2010.2.8)
【手続補正１】
【補正対象書類名】特許請求の範囲
【補正対象項目名】全文
【補正方法】変更
【補正の内容】
【特許請求の範囲】
【請求項１】
入力画像データに対してγ変換を行うため、γ変換の変換特性を決定する画像処理方法であって、
画像データを構成する複数の画素の各階調値に基づいて、所定の階調範囲に含まれる階調値を有する画素数に相当する統計量を取得する取得ステップと、
前記取得ステップで取得した統計量に基づいて、前記複数の画素のうち、前記所定の階調範囲を含み、かつ前記所定の階調範囲よりも広い第二の階調範囲に含まれる画素が、他の階調範囲に比してどの程度集中しているかを示す値を生成する生成ステップと、
前記生成ステップで生成した値に基づいて、前記第二の階調範囲に含まれる画素が他の階調範囲に比して集中している度合いが高くなるにつれて、前記統計量を小さくするように決定されるゲインを用いて、前記取得ステップで取得した統計量を調整する調整ステップと、
予め用意された複数種類の変換特性データから、前記調整ステップで調整された統計量に対応する変換特性データを選択することで、γ変換の変換特性を決定する決定ステップと、を有する画像処理方法。
【請求項２】
入力画像データに対してγ変換を行うため、γ変換の変換特性を決定する画像処理方法であって、
入力画像データを構成する画素の階調値０〜ｎ（ｎ≧２５５）を少なくとも４つのカテゴリに分割した各階調範囲を用いてヒストグラムを生成する際に、階調値０を含むカテゴリの変換特性を決定するために使用する第一の統計量と、階調値ｎを含むカテゴリの変換特性を決定するために使用する第二の統計量とを、入力画像データを構成する複数の画素の各階調値から検出する検出ステップと、
階調値０を含むカテゴリに少なくとも隣接するカテゴリの統計量と前記第一の統計量とに基づいて、低階調側におけるヒストグラム分布度合いを示す第一の分布量を生成するとともに、階調値ｎを含むカテゴリに少なくとも隣接するカテゴリの統計量と前記第二の統計量とに基づいて、高階調側におけるヒストグラム分布度合いを示す第二の分布量を生成する生成ステップと、
前記生成ステップで生成した前記第一の分布量に対応する第一のゲイン、および前記第二の分布量に対応する第二のゲインを決定し、当該各ゲインを用いて、それぞれ前記第一および第二の統計量を調整する調整ステップと、
予め用意された複数種類の変換特性データから、調整された前記第一の統計量に基づいて階調値０を含むカテゴリに対応する第一の変換特性データを選択するとともに、調整された前記第二の統計量に基づいて階調値ｎを含むカテゴリに対応する第二の変換特性データを選択し、前記第一の変換特性データと前記第二の変換特性データとを用いて、階調値０および階調値ｎを含まないカテゴリに対応する変換特性を決定する決定ステップと、を有する画像処理方法。
【請求項３】
入力画像データに対してγ変換を行うため、γ変換の変換特性を決定する画像処理装置であって、
画像データを構成する複数の画素の各階調値に基づいて、所定の階調範囲に含まれる階調値を有する画素数に相当する統計量を取得する取得手段と、
前記取得手段で取得した統計量に基づいて、前記複数の画素のうち、前記所定の階調範囲を含み、かつ前記所定の階調範囲よりも広い第二の階調範囲に含まれる画素が、他の階調範囲に比してどの程度集中しているかを示す値を生成する生成手段と、
前記生成手段で生成した値に基づいて、前記第二の階調範囲に含まれる画素が他の階調範囲に比して集中している度合いが高くなるにつれて、前記統計量を小さくするように決定されるゲインを用いて、前記取得手段で取得した統計量を調整する調整手段と、
予め用意された複数種類の変換特性データから、前記調整手段で調整された統計量に対応する変換特性データを選択することで、γ変換の変換特性を決定する決定手段と、を有する画像処理装置。
【請求項４】
入力画像データに対してγ変換を行うため、γ変換の変換特性を決定する画像処理装置であって、
入力画像データを構成する画素の階調値０〜ｎ（ｎ≧２５５）を少なくとも４つのカテゴリに分割した各階調範囲を用いてヒストグラムを生成する際に、階調値０を含むカテゴリの変換特性を決定するために使用する第一の統計量と、階調値ｎを含むカテゴリの変換特性を決定するために使用する第二の統計量とを、入力画像データを構成する複数の画素の各階調値から検出する検出手段と、
階調値０を含むカテゴリに少なくとも隣接するカテゴリの統計量と前記第一の統計量とに基づいて、低階調側におけるヒストグラム分布度合いを示す第一の分布量を生成するとともに、階調値ｎを含むカテゴリに少なくとも隣接するカテゴリの統計量と前記第二の統計量とに基づいて、高階調側におけるヒストグラム分布度合いを示す第二の分布量を生成する生成手段と、
前記生成手段で生成した前記第一の分布量に対応する第一のゲイン、および前記第二の分布量に対応する第二のゲインを決定し、当該各ゲインを用いて、それぞれ前記第一および第二の統計量を調整する調整手段と、
予め用意された複数種類の変換特性データから、調整された前記第一の統計量に基づいて階調値０を含むカテゴリに対応する第一の変換特性データを選択するとともに、調整された前記第二の統計量に基づいて階調値ｎを含むカテゴリに対応する第二の変換特性データを選択し、前記第一の変換特性データと前記第二の変換特性データとを用いて、階調値０および階調値ｎを含まないカテゴリに対応する変換特性を決定する決定手段と、を有する画像処理装置。
【手続補正２】
【補正対象書類名】明細書
【補正対象項目名】００１４
【補正方法】変更
【補正の内容】
【００１４】
上記目的を達成するため、本発明に係る画像処理方法は、
入力画像データに対してγ変換を行うため、γ変換の変換特性を決定する画像処理方法であって、
画像データを構成する複数の画素の各階調値に基づいて、所定の階調範囲に含まれる階調値を有する画素数に相当する統計量を取得する取得ステップと、
前記取得ステップで取得した統計量に基づいて、前記複数の画素のうち、前記所定の階調範囲を含み、かつ前記所定の階調範囲よりも広い第二の階調範囲に含まれる画素が、他の階調範囲に比してどの程度集中しているかを示す値を生成する生成ステップと、
前記生成ステップで生成した値に基づいて、前記第二の階調範囲に含まれる画素が他の階調範囲に比して集中している度合いが高くなるにつれて、前記統計量を小さくするように決定されるゲインを用いて、前記取得ステップで取得した統計量を調整する調整ステップと、
予め用意された複数種類の変換特性データから、前記調整ステップで調整された統計量に対応する変換特性データを選択することで、γ変換の変換特性を決定する決定ステップと、を有することを特徴とする。
【手続補正３】
【補正対象書類名】明細書
【補正対象項目名】００１５
【補正方法】変更
【補正の内容】
【００１５】
また、本発明に係る画像処理方法は、
入力画像データに対してγ変換を行うため、γ変換の変換特性を決定する画像処理方法であって、
入力画像データを構成する画素の階調値０〜ｎ（ｎ≧２５５）を少なくとも４つのカテゴリに分割した各階調範囲を用いてヒストグラムを生成する際に、階調値０を含むカテゴリの変換特性を決定するために使用する第一の統計量と、階調値ｎを含むカテゴリの変換特性を決定するために使用する第二の統計量とを、入力画像データを構成する複数の画素の各階調値から検出する検出ステップと、
階調値０を含むカテゴリに少なくとも隣接するカテゴリの統計量と前記第一の統計量とに基づいて、低階調側におけるヒストグラム分布度合いを示す第一の分布量を生成するとともに、階調値ｎを含むカテゴリに少なくとも隣接するカテゴリの統計量と前記第二の統計量とに基づいて、高階調側におけるヒストグラム分布度合いを示す第二の分布量を生成する生成ステップと、
前記生成ステップで生成した前記第一の分布量に対応する第一のゲイン、および前記第二の分布量に対応する第二のゲインを決定し、当該各ゲインを用いて、それぞれ前記第一および第二の統計量を調整する調整ステップと、
予め用意された複数種類の変換特性データから、調整された前記第一の統計量に基づいて階調値０を含むカテゴリに対応する第一の変換特性データを選択するとともに、調整された前記第二の統計量に基づいて階調値ｎを含むカテゴリに対応する第二の変換特性データを選択し、前記第一の変換特性データと前記第二の変換特性データとを用いて、階調値０および階調値ｎを含まないカテゴリに対応する変換特性を決定する決定ステップと、を有することを特徴とする。
【手続補正４】
【補正対象書類名】明細書
【補正対象項目名】００１６
【補正方法】変更
【補正の内容】
【００１６】
また、本発明に係る画像処理装置は、
入力画像データに対してγ変換を行うため、γ変換の変換特性を決定する画像処理装置であって、
画像データを構成する複数の画素の各階調値に基づいて、所定の階調範囲に含まれる階調値を有する画素数に相当する統計量を取得する取得手段と、
前記取得手段で取得した統計量に基づいて、前記複数の画素のうち、前記所定の階調範囲を含み、かつ前記所定の階調範囲よりも広い第二の階調範囲に含まれる画素が、他の階調範囲に比してどの程度集中しているかを示す値を生成する生成手段と、
前記生成手段で生成した値に基づいて、前記第二の階調範囲に含まれる画素が他の階調範囲に比して集中している度合いが高くなるにつれて、前記統計量を小さくするように決定されるゲインを用いて、前記取得手段で取得した統計量を調整する調整手段と、
予め用意された複数種類の変換特性データから、前記調整手段で調整された統計量に対応する変換特性データを選択することで、γ変換の変換特性を決定する決定手段と、を有することを特徴とする。
【手続補正５】
【補正対象書類名】明細書
【補正対象項目名】００１７
【補正方法】変更
【補正の内容】
【００１７】
また、本発明に係る画像処理装置は、
入力画像データに対してγ変換を行うため、γ変換の変換特性を決定する画像処理装置であって、
入力画像データを構成する画素の階調値０〜ｎ（ｎ≧２５５）を少なくとも４つのカテゴリに分割した各階調範囲を用いてヒストグラムを生成する際に、階調値０を含むカテゴリの変換特性を決定するために使用する第一の統計量と、階調値ｎを含むカテゴリの変換特性を決定するために使用する第二の統計量とを、入力画像データを構成する複数の画素の各階調値から検出する検出手段と、
階調値０を含むカテゴリに少なくとも隣接するカテゴリの統計量と前記第一の統計量とに基づいて、低階調側におけるヒストグラム分布度合いを示す第一の分布量を生成すると
ともに、階調値ｎを含むカテゴリに少なくとも隣接するカテゴリの統計量と前記第二の統計量とに基づいて、高階調側におけるヒストグラム分布度合いを示す第二の分布量を生成する生成手段と、
前記生成手段で生成した前記第一の分布量に対応する第一のゲイン、および前記第二の分布量に対応する第二のゲインを決定し、当該各ゲインを用いて、それぞれ前記第一および第二の統計量を調整する調整手段と、
予め用意された複数種類の変換特性データから、調整された前記第一の統計量に基づいて階調値０を含むカテゴリに対応する第一の変換特性データを選択するとともに、調整された前記第二の統計量に基づいて階調値ｎを含むカテゴリに対応する第二の変換特性データを選択し、前記第一の変換特性データと前記第二の変換特性データとを用いて、階調値０および階調値ｎを含まないカテゴリに対応する変換特性を決定する決定手段と、を有することを特徴とする。
【手続補正６】
【補正対象書類名】明細書
【補正対象項目名】００４４
【補正方法】変更
【補正の内容】
【００４４】
例えば、０〜６３階調近傍にヒストグラムが集中した画像（０から６３階調のいずれかの階調を指定する画素データの比率が、基準となる状態に対して比較的大きい場合；全体的に暗い画像）の場合、加算値「ａ１」は大きな値となる。一方この場合、１９２〜２５５階調近傍はヒストグラムが少ないため加算値「ａ２」は小さい値となる。したがって、加算値「ａ１」に対応するゲインテーブル９の出力「ｇ１」は「１より小さい値」となり、加算値「ａ２」に対応する出力「ｇ２」は「１」となる。「ｈ１」は乗算器７でゲイン「ｇ１」が乗算されゲインダウンされた値「Ｃ１」となり、「ｈ４」はそのまま「Ｃ２（＝ｈ４）」として乗算器８から出力される。